(57)【要約】【課題】送電用鉄塔の脚部に組み付けられて部外者が脚部に沿って昇塔することを防止すると共に、正規作業員が昇塔する際には昇塔通路を開放して円滑な昇塔を可能とする昇塔防止装置において、昇塔防止装置を開放状態、閉止状態にするためのロック手段の操作を効率化して作業員の労苦を低減する。【解決手段】鉄塔脚部に固定されると共に開放部４を有した固定部材３と、開放部を開閉するために開閉自在に軸支された開閉部材１０Ａ、１０Ｂと、各開閉部材が閉止状態にあるときにその他端部間をロックして開放不能状態とするロック手段２０と、ロック解除手段４０と、を備え、ロック手段は、一方の開閉部材に固定された固定ロック片２１と、他方の開閉部材によって環状本体の内外径方向へ進退自在に支持され且つ閉止位置にある固定ロック片に向けて外径方向へ移動したときに固定ロック片とロック状態となる可動ロック片３０と、を備える。【選択図】図２
2011226127.tif 000002
【特許請求の範囲】
【請求項１】
送電用鉄塔の脚部に組み付けられる昇塔防止装置であって、
前記脚部に対して固定されて該脚部外周を包囲する環状本体と、該環状本体の周方向に沿った複数箇所から外径方向へ突設された昇塔阻止片と、を備え、
前記環状本体は、前記脚部に固定されると共に一部に昇塔用の開放部を有した半環状の固定部材と、該開放部を開閉するために該固定部材の両端部により夫々一端部を開閉自在に軸支された一対の開閉部材と、該各開閉部材が閉止状態にあるときに該各開閉部材の他端部間をロックして開放不能状態とするロック手段と、ロック解除手段と、を備え、
前記ロック手段は、一方の前記開閉部材の他端部に固定された固定ロック片と、他方の前記開閉部材の他端部によって前記環状本体の内外径方向へ進退自在に支持され且つ閉止位置にある前記固定ロック片に向けて外径方向へ移動したときに該固定ロック片とロック状態となる可動ロック片と、を備え、
前記ロック解除片は、前記固定ロック片と前記可動ロック片とがロック状態にあるときに前記固定ロック片の外面から内部に装着されることにより前記ロック状態を解除することを特徴とする昇塔防止装置。
【請求項２】
前記固定ロック片の外面にはスリットが形成されており、該スリットの内奥部には前記固定ロック片と前記可動ロック片とのロック部が配置されており、
前記ロック解除片の先端には前記スリット内に挿入可能な挿入片が設けられており、該挿入片を前記スリット内に挿入することにより前記ロック部のロック状態を解除するように構成されていることを特徴とする請求項１に記載の昇塔防止装置。
【請求項３】
前記可動ロック片は、前記他方の開閉部材の他端部から内方へ延びる第１のガイド部材により一端部を内外径方向へスライド自在且つ抜け落ち不能に支持され、
前記可動ロック片の他端部には、前記一方の開閉部材の他端部から内方へ延びる第２のガイド部材に沿ってガイドされる被ガイド部が設けられていることを特徴とする請求項１又は２に記載の昇塔防止装置。
【発明の詳細な説明】
【技術分野】
【０００１】
本発明は、送電用鉄塔の脚部に組み付けられて正規の作業員等の関係者以外の者が昇塔することを防止するための昇塔防止装置に関し、特に昇塔経路を閉止する際に用いるロック手段の改良に関するものである。
【背景技術】
【０００２】
送電用鉄塔により支持された送電線等を正規の作業員が保守、点検するためには鉄塔は作業員が昇塔可能な構造とする必要がある一方で、安全対策上、作業員以外の非関係者が昇塔できないように構成する必要がある。
従来は、鉄塔脚部に昇塔防止装置を設けて、鉄塔脚部に沿った昇塔通路を閉止する一方で、正規の作業員が昇塔する際には昇塔防止装置により昇塔通路を開放するように構成している。
【０００３】
従来の昇塔防止装置は、例えば図５（ａ）（ｂ）に示した如き構成を備えている。
この昇塔防止装置１００は、鉄塔１３０の脚部（鉄骨材）１３１に対して固定されて脚部外周を包囲する環状本体１０１と、環状本体外周の周方向に沿った複数箇所から外径方向へ放射状に突設された棒状の鋼材から成る昇塔阻止片１２０と、を備えている。
環状本体１０１は、脚部に対してボルトナットを用いて固定されると共に一部に昇塔用の開放部１０３を有した固定部材１０２と、開放部１０２を開閉するために固定部材１０２により開閉自在（観音開き状）に支持された開閉部材１１０と、開閉部材１１０を固定部材１０２に対して閉止した状態でロックするロック手段１１５と、を備えている。固定部材１０２はその両端部にヒンジ部１０４を備え、各ヒンジ部１０４により各開閉部材１１０を開閉自在に支持している。図５（ｂ）に実線で示したように開閉部材１１０を閉じてロック手段１１５をロックした状態では開放部１０３が閉止されているために昇塔阻止片１２０が障害となって鉄塔への昇塔を不可能としている。一方、破線で示したようにロック手段１１５を解除して開閉部材１１０を開放することにより開放部１０３から露出した脚部１３１を利用して昇塔することが可能となる。
昇塔阻止片１２０は、その基端部に設けた雄螺子部１２０ａを固定部材１０２、及び開閉部材１１０に設けた穴内に挿通してから雄螺子部にナット１２１を締結することにより固定されている。
ロック手段１１５は、昇塔阻止片１２０を固定部材、及び開閉部材に固定するナット１２１を外した状態で昇塔阻止片の雄螺子部１２０ａに連設板１２５の穴部を挿通してから雄螺子部にナット１２６を締結することにより、固定部材と開閉部材をロックする構成を有する。
【０００４】
しかし、上記従来の昇塔防止装置はロック手段としてボルトナットを用いているため、昇塔の度にスパナ等の工具を用いてナットを緩めて開閉部材を開放し、作業終了時には回動部材を閉止してナットを締結するという煩雑、且つ多大な労力を伴う作業が必要であった。特に、ボルトナット部が錆によって固着している場合にはナットの取外し作業が困難になるという不具合も生じる。また、スパナ等の工具の取出し、収納に手間がかかるという問題もある。また、非関係者が工具を用いて開閉部材を開放して昇塔することが可能となる。
特許文献１に開示されたステップ付き昇塔防止器では、鉄塔の脚部に設けた足場受けに設けたネジ穴内にステップとなる足場ボルトのネジ部を螺着してナットにより固定することにより、足場ボルトを突出状態（昇塔可能状態）とする一方で、ナットを外してネジ穴から離脱させた足場ボルトを脚部と平行な姿勢（昇塔不能状態）で収納するようにしている。
しかし、この従来例にあっては、ナットの締結、緩め作業を行う際にスパナ等の工具が必須となるため、作業の煩雑さの点については現状と変わりなかった。
【先行技術文献】
【特許文献】
【０００５】
【特許文献１】特開２０００−２７４９１公報
【発明の概要】
【発明が解決しようとする課題】
【０００６】
従来の昇塔防止装置にあっては、昇塔通路を閉止するためのロック作業、及び開放するためのロック解除作業や、足場ボルトを鉄塔の脚部に着脱するための作業を工具を用いて行う必要があったため、作業が繁雑となるという問題があった。
本発明は上記に鑑みてなされたものであり、送電用鉄塔の脚部に組み付けられて部外者が脚部に沿って昇塔することを防止すると共に、正規の作業員が昇塔する際には昇塔通路を開放して円滑な昇塔を可能とする昇塔防止装置において、昇塔防止装置を開放状態、閉止状態にするためのロック手段の操作を効率化して作業員の労苦を低減することを目的としている。
【課題を解決するための手段】
【０００７】
上記目的を達成するため、請求項１の発明に係る昇塔防止装置は、送電用鉄塔の脚部に組み付けられる昇塔防止装置であって、前記脚部に対して固定されて該脚部外周を包囲する環状本体と、該環状本体の周方向に沿った複数箇所から外径方向へ突設された昇塔阻止片と、を備え、前記環状本体は、前記脚部に固定されると共に一部に昇塔用の開放部を有した半環状の固定部材と、該開放部を開閉するために該固定部材の両端部により夫々一端部を開閉自在に軸支された一対の開閉部材と、該各開閉部材が閉止状態にあるときに該各開閉部材の他端部間をロックして開放不能状態とするロック手段と、ロック解除手段と、を備え、前記ロック手段は、一方の前記開閉部材の他端部に固定された固定ロック片と、他方の前記開閉部材の他端部によって前記環状本体の内外径方向へ進退自在に支持され且つ閉止位置にある前記固定ロック片に向けて外径方向へ移動したときに該固定ロック片とロック状態となる可動ロック片と、を備え、前記ロック解除片は、前記固定ロック片と前記可動ロック片とがロック状態にあるときに前記固定ロック片の外面から内部に装着されることにより前記ロック状態を解除することを特徴とする。
送電用鉄塔に作業員が昇塔する際には鉄塔の脚部から昇塔することになるが、部外者による昇塔を防止する必要から脚部には昇塔防止装置が設置される。従来の昇塔防止装置としては、脚部を構成する鉄骨材の外周に、該鉄骨材を包囲するように複数個の円弧状の鋼材をヒンジを介して開閉自在（例えば、観音開き状）に配置し、この鋼材から外径方向に放射状に棒状の鋼材を突出させた構成を備えたものがある。本発明では、脚部に固定される固定部材により開閉自在に軸支された開閉部材を閉止状態でロックするためのロック手段を、一方の開閉部材に固定された固定ロック片と、他方の開閉部材に固定された可動ロック片と、から構成し、可動ロック片を所定の軌道に沿って移動させることにより固定ロック片とロック状態となり、ロック解除手段により容易にロック解除できるように構成した。このため、ボルト、ナットを用いて開閉部材をロックしたり、ロック解除する手間がなくなる。ロック解除手段は、単純に固定ロック片の外面から内部に装着する操作によってロックを解除できるので、構造がシンプルで堅牢となる。ロック解除手段の形状を大型化することにより、作業員が手袋をしたままでの開錠作業ができることとなる。
【０００８】
請求項２の発明は、前記固定ロック片の外面にはスリットが形成されており、該スリットの内奥部には前記固定ロック片と前記可動ロック片とのロック部が配置されており、前記ロック解除片の先端には前記スリット内に挿入可能な挿入片が設けられており、該挿入片を前記スリット内に挿入することにより前記ロック部のロック状態を解除するように構成されていることを特徴とする。
ロック解除手段は、単純に固定ロック片の外面に設けたスリットから内部に装着する操作によってロック部を解除できるので、構造がシンプルとなる。ロック解除手段の形状を大型化することにより、操作性が高まり、作業員が手袋をしたままでの開錠作業ができることとなる。第三者が見た場合に外観上も錠前であることが判らず、開錠の仕方も判らないので、悪戯などによる開錠、昇塔を予防できる。
【０００９】
請求項３の発明は、前記可動ロック片は、前記他方の開閉部材の他端部から内方へ延びる第１のガイド部材により一端部を内外径方向へスライド自在且つ抜け落ち不能に支持され、前記可動ロック片の他端部には、前記一方の開閉部材の他端部から内方へ延びる第２のガイド部材に沿ってガイドされる被ガイド部が設けられていることを特徴とする。
両開閉部材を閉止位置に移動させた際に、可動ロック片を所定の軌道に沿って移動させるだけで、固定ロック片とロックさせることができるため、操作性が向上する。
【発明の効果】
【００１０】
本発明の昇塔防止装置では、送電用鉄塔の脚部に組み付けられて部外者が脚部に沿って昇塔することを防止すると共に、正規の作業員が昇塔する際には昇塔通路を開放して円滑な昇塔を可能とする昇塔防止装置において、昇塔防止装置を開放状態、閉止状態にするためのロック手段の操作を効率化して作業員の労苦を低減することができる。また、市販の錠前とは異なった形状、外観を有したロック手段であるため、部外者がロック手段の存在、或いは開錠方法を知ることができない。ロック解除手段が市販の錠前の鍵と比して大きなサイズとなるため、手袋をしたまま開錠作業を行うことができる。
【図面の簡単な説明】
【００１１】
【図１】本発明の一実施形態としての昇塔防止装置を鉄塔の脚部に組み付けた状態を示す斜視図である。
【図２】（ａ）及び（ｂ）は昇塔防止装置の閉止状態を示す平面図、及び要部構成を示す説明図である。
【図３】昇降防止装置の開放状態を示す平面図である。
【図４】（ａ）及び（ｂ）はロック手段がロック状態にある場合の平面図、及びロックを解除する手順を示す平面図である。
【図５】（ａ）及び（ｂ）は従来例の説明図である。
【発明を実施するための最良の形態】
【００１２】
以下、本発明を図面に示した実施の形態により詳細に説明する。
図１は本発明の一実施形態としての昇塔防止装置を鉄塔の脚部に組み付けた状態を示す斜視図であり、図２（ａ）及び（ｂ）は昇塔防止装置の閉止状態を示す平面図、及び要部構成を示す説明図であり、図３は昇降防止装置の開放状態を示す平面図であり、図４（ａ）及び（ｂ）はロック手段がロック状態にある場合の平面図、及びロックを解除する手順を示す平面図である。
【００１３】
昇塔防止装置１は、鉄塔６０の脚部（鉄骨材）６１に固定されて脚部外周を包囲する金属製の環状本体２と、環状本体外周の周方向に沿った複数箇所から外径方向へ放射状に突設された棒状の鋼材から成る昇塔阻止片５０と、を概略備えている。
環状本体２は、脚部６１に対してボルトナットを用いて固定されると共に一部に昇塔用の開放部４を有した半環状（円弧状）の固定部材３と、開放部４を開閉するために固定部材３の両端部に設けたヒンジ部５により開閉自在（観音開き状）に支持された２つの開閉部材１０（１０Ａ、１０Ｂ）と、両開閉部材１０Ａ、１０Ｂが閉止状態にあるときに各開閉部材の他端部間をロックして開放不能状態とするロック手段２０と、ロック解除手段４０と、を備えている。固定部材３はその両端部にヒンジ部５を備え、各ヒンジ部５により各開閉部材１０Ａ、１０Ｂを開閉自在に支持している。固定部材３には、脚部６１に固定するための連結部材６が組み付けられており、脚部６１を挟んだ状態でボルトナットにより固定する。
符号７は、各開閉部材１０Ａ、１０Ｂが開放した位置に係止するためのストッパである。
なお、固定部材３の一端部に設けたヒンジ部５により一つの開閉部材を開閉自在に支持することにより開閉部を開閉する構成も本発明の範囲内に含まれるが、以下の実施形態では２つの開閉部材を開閉自在に支持した構成例について説明する。
図１及び図２（ａ）のように両開閉部材１０Ａ、１０Ｂを閉じてロック手段２０によりロックした状態では開放部４が閉止されているために昇塔阻止片５０が障害となって鉄塔への昇塔が不可能となる。一方、図３に示すようにロック手段２０を解除して開閉部材１０を開放することにより開放部４から露出した脚部６１を利用して昇塔（降塔）することが可能となる。
【００１４】
昇塔阻止片５０は、その基端部に設けた雄螺子部５０ａを固定部材３、及び開閉部材１０に設けた穴内に挿通してから雄螺子部にナット５１を締結することにより固定される。或いは、昇塔素子片５０を固定部材３、開閉部材の穴に挿通してから溶接により固定してもよい。
ロック手段２０は、一方の開閉部材１０Ａの他端部に固定された固定ロック片２１と、他方の開閉部材１０Ｂの他端部によって環状本体の内外径方向へ進退自在に支持され且つ図２（ａ）に示した閉止位置にある固定ロック片２１に向けて外径方向へ移動したときに固定ロック片とロック状態となる可動ロック片３０と、を備えている。
固定ロック片２１は、図示のように開閉部材１０の幅寸法と同等の直径を有した円筒体である。図２（ｂ）に示すように固定ロック片２１の外面（前面）には環状のスリット２２が形成されており、スリット２２の内奥部には固定ロック片２１と可動ロック片３０とのロック部Ｒが配置されている。
【００１５】
可動ロック片３０は、板状のベース３１と、ベース３１の外側面中央部に固定されたロック片本体３２と、から構成されている。他方の開閉部材１０Ｂの他端部から内方へ延びる棒状の第１のガイド部材３５によりベース３１の一端部に設けた挿通穴３１ａを内外径方向へスライド自在且つ抜け落ち不能に支持され、更にベース３１の他端部には、一方の開閉部材１０Ａの他端部から内方へ延びる第２のガイド部材３６に沿ってガイドされる被ガイド部（挿通穴）３１ｂが設けられている。両開閉部材１０Ａ、１０Ｂが閉止した状態において両ガイド部材３５、３６は並行に延びており、両ガイド部材に沿って可動ロック片３０は環状本体２の内外径方向へ進退する。第１のガイド部材３５の内側端部にはストッパ３５ａが設けられている一方で、第２のガイド部材２３の内側端部にはストッパがないため、図２（ａ）のようにベース３１がストッパ３５ａに当接するまで可動ロック片３０を内側に移動させた場合にはベース３１は第２のガイド部材３６から離脱した状態となり、両開閉部材１０Ａ、１０Ｂは開放自在となる。一方、図２（ａ）の状態においてベースの被ガイド部３１ｂに第２のガイド部材３６が嵌合するように可動ロック片３０を外径方向へ移動させることにより、両開閉部材１０Ａ、１０Ｂは開放不能な状態となる。この状態で更に可動ロック片３０を外径方向へ移動させると、可動ロック片３０に設けた係止片３２ｂが固定ロック片２１の内側面に設けた凹所２１ａ内に嵌合し、ロック部Ｒがロック状態となる。
【００１６】
ロック解除片４０は、固定ロック片２１と可動ロック片３０とがロック状態にあるときに固定ロック片の外面からその内部に装着されることによりロック状態を解除する手段である。
中空筒状のロック解除片４０の先端（開口縁）には固定ロック片２１のスリット２２内に挿入可能な薄肉円筒状の挿入片４１が設けられており、挿入片をスリット内に前面側から挿入することによりロック部Ｒにおけるロック状態を解除するように構成されている。解除片４０の頂部には、作業者のベルト等に吊り下げる紐を通すための紐係止部４２が設けられている。
開閉部材の幅寸法と同等の直径を有した固定ロック片２１の前面に形成した環状のスリット２２内に挿入片４１を差し込む可能なロック解除片４０の形状、寸法は自ずと大型となり、紛失し難く、手袋をした手での把持、開錠のための操作も容易となる。
【００１７】
固定ロック片２１と可動ロック片３０とのロック部Ｒは、固定ロック片２１の凹所２１ａの内壁に設けた被係止部２１ｂと、ロック片本体３２の外周面に設けた凹部３２ａから側方へ出没するように軸支された係止片３２ｂと、係止片３２ｂを常時突出方向へ付勢する弾性部材３２ｃと、を備えている。弾性部材３２ｃの付勢力に抗して係止片３２ｂが凹部３２ａ内に押し込められると、係止片３２ｂはロック片本体３２の外面から退避し、押し込める力が解除されると、図２（ａ）に示した突出位置に突出する。本例では、ロック部Ｒは９０度間隔で４箇所設けられているが、その個数に限定はない。
また、固定ロック片２１が円筒状であるため、可動ロック片３０のロック片本体３２、及びロック解除片４０も円筒状であるが、これは一例に過ぎず、例えば楕円柱状、三角柱状、四角柱状、その他の多角柱状、或いはその他の任意の形状としてもよい。
【００１８】
本例のスリット２２はその正面形状が連続した円形（環状）であるが、不連続の円形であってもよい。この場合にはロック解除片４０の挿入片４１も各スリット内に個別に挿入可能となるように不連続な突片状とする。
南京錠等の市販の錠前は、開錠するための鍵が小さいため、紛失しやすいばかりでなく、作業員が手袋をはめたままで開錠作業を行うことが難しい場合が多い。そのため、わざわざ手袋を外した上での作業が必要となり煩雑であった。また、一見して錠前であると認識できるため、昇塔しようとする部外者がこれを壊して昇塔防止装置を開放し、昇塔することが可能となる。
これに対して、本発明のロック手段２０は、開閉部材の幅寸法と同等な寸法を有するために比較的大型であり、構造を堅牢化することができるため、壊れにくい利点を有する。また、市販の錠前とは外観が大きく異なるため、昇塔しようとする部外者がこれをロック手段であると認識しにくく、どのようにロック解除するかを知ることが不可能に近い。
また、ロック解除片４０は、市販の錠前の鍵とは異なり、円筒状、その他の筒状であり、大径、大型となるため、紛失しにくく、手袋をしたままであっても把持し易く、ロック解除のための作業が容易である。
【００１９】
以上のように本発明では、脚部に固定される固定部材により開閉自在に軸支された開閉部材を閉止状態でロックするためのロック手段を、一方の開閉部材に固定された固定ロック片と、他方の開閉部材に固定された可動ロック片と、から構成し、可動ロック片をガイド部材に沿った所定の軌道に沿って移動させることにより固定ロック片とロック状態となり、ロック解除手段により容易にロック解除できるように構成した。このため、ボルト、ナットを用いて開閉部材をロックしたり、ロック解除する手間がなくなる。ロック解除手段は、単純に固定ロック片の外面から内部に装着する操作によってロックを解除できるので、構造がシンプルとなる。ロック解除手段の形状を大型化することにより、作業員が手袋をしたままでの開錠作業ができることとなる。
また、ロック解除手段は、単純に固定ロック片の外面に設けたスリットから内部に装着する操作によってロック部を解除できるので、構造がシンプルとなる。ロック解除手段の形状を大型化することにより、操作性が高まり、作業員が手袋をしたままでの開錠作業ができることとなる。第三者が見た場合に外観上も錠前であることが判らず、開錠の仕方も判らないので、悪戯などによる開錠、昇塔を予防できる。
両開閉部材を閉止位置に移動させた際に、可動ロック片をガイド部材により規定された所定の軌道に沿って移動させるだけで、固定ロック片とロックさせることができるため、操作性が向上する。
【符号の説明】
【００２０】
１…昇塔防止装置、２…環状本体、３…固定部材、４…開放部、５…ヒンジ部、６…連結部材、１０（１０Ａ、１０Ｂ）…開閉部材、２０…ロック手段、２１…固定ロック片、２１ａ…凹所、２１ｂ…被係止部、３０…可動ロック片、３１…ベース、３２…ロック片本体、３２ａ…凹部、３２ｂ…係止片、３２ｃ…弾性部材、３５、３６…ガイド部材、４０…ロック解除片、４１…挿入片、４２…紐係止部、５０…昇塔阻止片、５１…ナット、６０…鉄塔、６１…脚部
【図１】
2011226127.tif 000003
【図２】
2011226127.tif 000004
【図３】
2011226127.tif 000005
【図４】
2011226127.tif 000006
【図５】
2011226127.tif 000007